(57)【要約】【課題】コストを抑えつつ耐久性の高い人体付着用装飾シート、及びその製造方法を提供せんとする。【解決手段】軟質のシリコーン系成形体からなり、粘着性を有して人体皮膚に付着する付着層２と、弾性を有する硬質のシリコーン系成形体からなり、前記付着層２の上面側に積層される被覆層３とより構成され、被覆層３は透明または半透明で光光透過性を有し、付着層２と被覆層３の間の周縁部を除く所定部位に、紙、布を含む繊維製またはポリプロピレン（ＰＰ）シート等の合成樹脂製の装飾シート体４０が介装され、該装飾シート体４０が光透過性を有する前記被覆層３を通して表面側から見える装飾部４として機能する。【選択図】図２
2008137368.tif 000002
【特許請求の範囲】
【請求項１】
軟質のシリコーン系成形体からなり、粘着性を有して人体皮膚に付着する付着層と、
弾性を有する硬質のシリコーン系成形体からなり、前記付着層の上面側に積層される被覆層と、
より構成したことを特徴とする人体付着用装飾シート。
【請求項２】
前記被覆層が光透過性を有するとともに、前記付着層と前記被覆層の間の周縁部を除く所定部位に、紙、布を含む繊維製または合成樹脂製の装飾シート体を介装し、これにより装飾性をもたせてなる請求項１記載の人体付着用装飾シート。
【請求項３】
前記被覆層が光透過性を有するとともに、前記被覆層の下面側に転写印刷による装飾部を形成してなる請求項１又は２記載の人体付着用装飾シート。
【請求項４】
前記付着層のシリコーン系成形体及び前記被覆層のシリコーン系成形体が、いずれも硬化条件の異なるシリコーンゲル成形体である請求項１〜３の何れか１項に記載の人体付着用装飾シート。
【請求項５】
前記付着層のＪＩＳ−Ａ硬度が３〜４度であり、且つ前記被覆層のＪＩＳ−Ａ硬度が１４〜１６度である請求項１〜４の何れか１項に記載の人体付着用装飾シート。
【請求項６】
シート周辺部を、上面側を略テーパー状に傾斜させることにより外側に向けて次第に薄肉となる形状に構成してなる請求項１〜５の何れか１項に記載の人体付着用装飾シート。
【請求項７】
前記付着層内部、前記被覆層内部または前記付着層と前記被覆層の間に、ＩＣタグを組み込んでなる請求項１〜６の何れか１項に記載の人体付着用装飾シート。
【請求項８】
軟質のシリコーン系成形体からなり、粘着性を有して人体皮膚に付着する付着層と、弾性を有する硬質のシリコーン系成形体からなり、前記付着層の上面側に積層される被覆層とより構成される人体付着用装飾シートの製造方法であって、前記被覆層を構成する硬質のシリコーン系成形体を成形し、前記硬質のシリコーン系成形体が半硬化状態のうちに、その上に前記付着層を構成する軟質のシリコーン系成形体を積層成形してなることを特徴とする人体付着用装飾シートの製造方法。
【請求項９】
前記軟質のシリコーン系成形体を成形する前に、前記半硬化状態の硬質のシリコーン系成形体の上の周縁部を除く所定部位に、紙、布を含む繊維製または合成樹脂製の装飾シート体を載せ、その上から前記付着層を構成する軟質のシリコーン系成形体を積層成形することにより、装飾性をもたせてなる請求項８記載の人体付着用装飾シートの製造方法。
【請求項１０】
前記半硬化状態の硬質のシリコーン系成形体の上に、超軟水に電荷を付与したものを塗布したうえで、前記付着層を構成する軟質のシリコーン系成形体を積層成形してなる請求項８又は９記載の人体付着用装飾シートの製造方法。
【発明の詳細な説明】
【技術分野】
【０００１】
本発明は、人体の顔や、腕、その他の部位に付着させて用いる人体付着用装飾シート及びその製造方法に関する。
【背景技術】
【０００２】
サッカーやオリンピックの観戦者が、顔や腕に国旗等をペインティングしたり、テーマパークでキャラクターのデザインを顔等にペインティングすることが行なわれているが、これらペインティングは一度消してしまうと再度、観戦の際にペインティングしてもらう必要があり、近年、再使用可能なようにこれらデザイン等の装飾を施したシールが種々提案されている（例えば、特許文献１〜３参照。）。
【０００３】
特許文献１には、自然光下でも再生可能なホログラムを人体の一部に付着させて人目を引きやすくするものとして、少なくとも自然光によって記録像が再生可能なリップマンホログラム層と、そのリップマンホログラム層を人体に付着させる粘着層とからなるホログラムシール１０を人体の顔Ｆ等に粘着層により貼り付けるものが提案されている。
【０００４】
また、特許文献２には、立体感を有する身体貼着用装飾体の製造法として、装飾体の形状に対応する透かし部を有するスクリーン型を用いて離型シートの離型面上に自然乾燥型粘着剤を捺染して粘着層を形成する工程であって、該スクリーン型のメッシュ密度は１２０以下である工程と、該装飾体の図柄に対応する透かし部を有するスクリーン型を用いて、水性伸縮性樹脂を含む捺染剤を該粘着層上に捺染することで本体層を形成する工程であって、該スクリーン型のメッシュ密度は１５０以下であり、該捺染剤は常温で３００００センチポアズから２０００００センチポアズの粘度を有しており、該本体層の厚さは８０μｍ以上である工程と、該本体層を蒸発乾燥処理する工程からなる製造方法が提案されている。
【０００５】
また、特許文献３には、身体の一部に貼るシールであって、多色の図柄印刷層が明確に現出できるようにしたものであり、白色系で半透明のマスキング層の外面側に、第１接着剤層ついで剥離フィルムを積層し、マスキング層の裏面側に多色の図柄印刷層、第２接着剤層ついで台紙を積層する。剥離フィルムを剥いで第１接着剤層でシール全体を身体の一部に貼り、その後に、台紙を剥ぎ取る。これで図柄印刷層がマスキング層を背景にして現出するようにするものが提案されている。
【０００６】
しかし、これらは何れも複雑な構造、とくに積層構造を有しており、コストが嵩むとともに、使用により何度も皮膚に貼り付け／取り外しを繰り返すうちに、層の間に剥がれが生じる可能性が高く、耐久性に問題がある。
【０００７】
【特許文献１】特開２０００−６５８８号公報
【特許文献２】特開２００５−１１９０９１号公報
【特許文献３】実用新案登録第３０２１１７１号公報
【発明の開示】
【発明が解決しようとする課題】
【０００８】
そこで、本発明が前述の状況に鑑み、解決しようとするところは、コストを抑えつつ耐久性の高く、更に皮膚に対する装着感に優れた人体付着用装飾シート、及びその製造方法を提供する点にある。
【課題を解決するための手段】
【０００９】
本発明は、前述の課題解決のために、軟質のシリコーン系成形体からなり、粘着性を有して人体皮膚に付着する付着層と、弾性を有する硬質のシリコーン系成形体からなり、前記付着層の上面側に積層される被覆層とより構成したことを特徴とする人体付着用装飾シートを構成した。シリコーン系成形体はシリコーンポリマーの成形体であり、一般に弾性率が１０5Ｎ／ｍ2より高いシリコーンゴムや低いシリコーンゲルが含まれる。
【００１０】
ここで、前記被覆層が光透過性を有するとともに、前記付着層と前記被覆層の間の周縁部を除く所定部位に、紙、布を含む繊維製または合成樹脂製の装飾シート体を介装し、これにより装飾性をもたせたものが好ましい。
【００１１】
また、前記被覆層が光透過性を有するとともに、前記被覆層の下面側に転写印刷による装飾部を形成したものが好ましい。
【００１２】
さらに、前記付着層のシリコーン系成形体及び前記被覆層のシリコーン系成形体が、いずれも硬化条件の異なるシリコーンゲル成形体であるものが好ましい。
【００１３】
また、前記付着層のＪＩＳ−Ａ硬度が３〜４度であり、且つ前記被覆層のＪＩＳ−Ａ硬度が１４〜１６度であるものが好ましい。
【００１４】
また、シート周辺部を、上面側を略テーパー状に傾斜させることにより外側に向けて次第に薄肉となる形状に構成したものが好ましい。
【００１５】
また、前記付着層内部、前記被覆層内部または前記付着層と前記被覆層の間に、ＩＣタグを組み込んだものが好ましい。
【００１６】
また、本発明は、軟質のシリコーン系成形体からなり、粘着性を有して人体皮膚に付着する付着層と、弾性を有する硬質のシリコーン系成形体からなり、前記付着層の上面側に積層される被覆層とより構成される人体付着用装飾シートの製造方法であって、前記被覆層を構成する硬質のシリコーン系成形体を成形し、前記硬質のシリコーン系成形体が半硬化状態のうちに、その上に前記付着層を構成する軟質のシリコーン系成形体を積層成形してなることを特徴とする人体付着用装飾シートの製造方法をも提供する。
【００１７】
ここで、前記軟質のシリコーン系成形体を成形する前に、前記半硬化状態の硬質のシリコーン系成形体の上の周縁部を除く所定部位に、紙、布を含む繊維製または合成樹脂製の装飾シート体を載せ、その上から前記付着層を構成する軟質のシリコーン系成形体を積層成形することにより、装飾性をもたせることが好ましい。
【００１８】
また、前記半硬化状態の硬質のシリコーン系成形体の上に、超軟水に電荷を付与したものを塗布したうえで、前記付着層を構成する軟質のシリコーン系成形体を積層成形することが好ましい。
【発明の効果】
【００１９】
以上にしてなる本願発明によれば、皮膚に対して害の少ない軟質のシリコーン系成形体からなる付着層が皮膚に対して確実に付着し、容易に剥がれ落ちたりすることを防止するとともに、その上に積層される被覆層が、弾性を有する硬質のシリコーン系成形体からなるので、付着層のような粘着性はなく、埃等の付着による汚れ等を未然に防止できるとともに、弾性を有することからシート全体としての屈曲性があることから、皮膚に付着させた状態で体を動かすことにより皮膚に大きな変形が生じても（例えば顔の皮膚が笑ったり叫んだ場合に大きく変形しても）、その変形に追従して屈曲し、皮膚との密着性が維持され、皮膚に対する良好な付着性並びに優れた装着感を得ることができる。
【００２０】
また、付着層とその上に積層される被覆層が同じシリコーン系成形体からなるので、積層成形時の相溶性に優れ、相互の接合強度が優れたものとなり、何度も使用を繰り返しても層間の剥離が生じず、耐久性に優れた装飾シールを提供することができる。
【００２１】
また、被覆層が光透過性を有するとともに、付着層と被覆層の間の周縁部を除く所定部位に、紙、布を含む繊維製または合成樹脂製の装飾シート体を介装し、これにより装飾性をもたせたものや、被覆層が光透過性を有するとともに、前記被覆層の下面側に転写印刷による装飾部を形成したりすることにより、コストを掛けることなく容易に装飾を施すことができると同時に、表面に印刷等するものに比べて、装飾が劣化することもなく耐久性に優れた装飾部を構成できる。光透過性には無色透明以外に有色透明等の半透明も含む。
【００２２】
また、前記付着層のシリコーン系成形体及び前記被覆層のシリコーン系成形体が、いずれも硬化条件の異なるシリコーンゲル成形体であるので、これらシリコーンゲル成形体は、例えばバストトップカバーとしても使用され、軟質の付着層については皮膚に対する付着性が良好であり、硬質の被覆層については良好なゴム弾性を発揮でき、装着感に優れたものが提供できる。また、上記した相溶性にも優れ、層間の接合強度が大きく、耐久性に優れたものが提供できる。
【００２３】
具体的には、付着層のＪＩＳ−Ａ硬度が３〜４度であり、且つ被覆層のＪＩＳ−Ａ硬度が１４〜１６度であるので、付着層の皮膚に対する付着性や被覆層のゴム弾性を極めて良好にすることができる。
【００２４】
また、シート周辺部を、上面側を略テーパー状に傾斜させることにより外側に向けて次第に薄肉となる形状に構成したので、顔の表情の変化等により付着している皮膚表面が大きく変動しても、薄肉形状の部分が容易に変形して皮膚の変動に追従し、シート周辺部からの剥がれを防止して付着性を向上することができる。
【００２５】
また、付着層内部、被覆層内部または付着層と被覆層の間に、ＩＣタグを組み込んだので、該ＩＣタグに情報を保持することにより、例えばオリンピック会場やサッカー会場などのゲートを通過する際の認証タグとして利用できる。
【００２６】
また、被覆層を構成する硬質のシリコーン系成形体を成形し、硬質のシリコーン系成形体が半硬化状態のうちに、その上に前記付着層を構成する軟質のシリコーン系成形体を積層成形したので、優れた相溶性を発揮させ、相互の接合強度を向上させることができる。
【００２７】
また、軟質のシリコーン系成形体を成形する前に、前記半硬化状態の硬質のシリコーン系成形体の上の周縁部を除く所定部位に、紙、布を含む繊維製または合成樹脂製の装飾シート体を載せ、その上から前記付着層を構成する軟質のシリコーン系成形体を積層成形することにより、優れた装飾性を有するシートをコストを抑えつつ効率よく製造することができる。
【００２８】
また、半硬化状態の硬質のシリコーン系成形体の上に、超軟水に電荷を付与したものを塗布したうえで、前記付着層を構成する軟質のシリコーン系成形体を積層成形したので、相溶性を更に向上させて接合強度の向上を図ることができる。超軟水は軟水からカルシウムイオンを除去する処理を行なったものであり、電荷の付与は超軟水に交流や直流の電流を印加して行なわれる。
【発明を実施するための最良の形態】
【００２９】
次に、本発明の実施形態を添付図面に基づき詳細に説明する。
【００３０】
図１は、本発明に係る人体付着用装飾シート１を示す斜視図であり、図１〜６は代表的実施形態を示し、図中符号１は人体付着用装飾シート、２は付着層、３は被覆層、４は装飾部、４０は装飾シート体をそれぞれ示している。
【００３１】
本発明の人体付着用装飾シート１は、図１及び図２に示すように、軟質のシリコーン系成形体からなり、粘着性を有して人体皮膚に付着する付着層２と、弾性を有する硬質のシリコーン系成形体からなり、前記付着層２の上面側に積層される被覆層３とより構成されている。
【００３２】
より詳しくは、前記被覆層３は透明または半透明で光透過性を有するとともに、前記付着層２と前記被覆層３の間の周縁部を除く所定部位には、紙、布を含む繊維製またはポリプロピレン（ＰＰ）シート等の合成樹脂製の装飾シート体４０が介装され、該装飾シート体４０が光透過性を有する前記被覆層３を通して表面側から見える装飾部４として機能し、装飾シート１に装飾性が付与されている。
【００３３】
本実施形態では、このように装飾シート体４０を介装することにより装飾性を持たせているのであるが、付着層２や被覆層３に顔料や染料を混入させて色を付け、装飾性を持たせたり、後述するように被覆層３の下面側（内面側）に印刷を施して装飾部４を形成したり、被覆層３の上にさらに模様等を施したり、装飾性を付与するための第三の層、第四の層など、同じくシリコーン系の組成物又は他の組成物からなる複数の層を更に積層するように構成しても良い。
【００３４】
本発明の人体付着用装飾シート１は、粘着性を有する付着層２が人体皮膚に付着するため、図６に示すように、例えば人体の顔や、腕、その他の部位に好適に付着するとともに、何度も使用することができ、従来のペイントのように一度落とすと再度描いてもらう必要があるといったことなく、使用が便利なシートであり、外側からは上記したように光透過性の被覆層３を通じて内部に挟持させた装飾シート体４０が見え、従来のペイントと同様、各種のデコレーションを施すことが可能なシートとして構成されている。具体的にはサッカーやオリンピックの観戦者のボディペインティングのシールや、腕等に刺青を模したシールを貼るタトゥシールとして好適に用いることができる。
【００３５】
本実施形態では、付着層２のシリコーン系成形体と被覆層３のシリコーン系成形体は、いずれも硬化条件が異なるシリコーンゲル成形体で構成されている。シリコーンゲルとしては、加熱硬化型や常温硬化型、縮合硬化型、付加硬化型など、従来から公知の種々の材料を用いることができる。本実施形態では、このように付着層２と被覆層３を同種のシリコーン系組成物を用いて積層成形することにより接合強度が向上し、特に、後述するように被覆層３が半硬化状態のうちに付着層２を成形することで、同組成物間の相溶性により接合強度がさらに向上した。
【００３６】
被覆層３は、付着層２のように皮膚に付着する粘着性まで必要なく、埃等の付着を防止するべく、粘着性はより低くなるように設定され、ただし顔等の変形に追従して剥がれ等を生じさせない程度の弾性を有していることが必要である。具体的には、スプリング試験機Ａ型で測定される付着層２のＪＩＳ−Ａ硬度は好ましくは３〜４度に設定されるのに対し、被覆層３のＪＩＳ−Ａ硬度は好ましくは１４〜１６度、より好ましくは１５度に設定されている。また、付着層２の粘着性（接着強度、粘着度）は、ＪＩＳ Ｚ ０２３７に準拠した１８０度引き剥がし測定法（平均値）で、６〜９Ｎ／２５ｍｍ、より好ましくは７〜８Ｎ／２５ｍｍ、更に好ましくは７．５Ｎ／２５ｍｍに設定される。これにより人体の皮膚に対する優れた付着性が得られる。
【００３７】
例えばシリコーンゲルとして付加反応硬化型の液状シリコーンゲルを用いて成形する場合、硬化剤、すなわち架橋剤の混合比を異なるものとして、付着層２は軟質にし、被覆層３は硬質に成形する。このような付加反応硬化型の液状シリコーンゲルとしては、例えば、旭化成ワッカーシリコーン株式会社「ＷＡＣＫＥＲ ＳｉｌＧｅｌ ６１２ Ａ＋Ｂ」など、皮膚に対して安全性の高いものを用いることが好ましい。なお、被覆層３について、シリコーンゲル成形体の代わりに、シリコーンゴム成形体としてもよい。
【００３８】
本実施形態の人体付着用装飾シート１は、前記付着層２と被覆層３とその間に介装される装飾シート体４０とからなり、全体として平板状に複層形成したものであるが、一部又は全体を上面側に隆起させて立体形状からなる装飾部を形成することも可能である。この場合、被覆層３をこのような立体形状に積層したり、装飾シート体４０を立体的なものとすることなど、種々の形態が採用できる。
【００３９】
また、本実施形態では、図２の断面図からも分かるように、シート周辺部１０に、上面側が略テーパー状に傾斜して外側に向けて次第に薄肉となるフランジ部７が形成されており、顔の表情の変化により付着している皮膚表面が大きく変動しても、薄肉のフランジ部７が容易に変形することにより当該変動に追従し、シート周辺部１０から剥がれてくることを防止する機能を奏している。なお、本例では上面側を略テーパー状に傾斜させているが、シート周辺部１０の下端から略直角に水平に突出した薄肉フランジ部を形成したものでも良い。
【００４０】
以下、図３に基づき、人体付着用装飾シート１の製造方法について説明する。
【００４１】
図中（ａ）に示すように、まず被覆層３を構成する硬質のシリコーン系成形体を成形型６０、６１を用いて成形する。用いるシリコーン系組成物によっては、室温で硬化させればよいものもあるが、加熱が必要な組成物を用いて成形する場合には、ヒータ内蔵の成形型を用いたり、熱風循環式オーブンに入れる等すればよい。
【００４２】
次に、被覆層３が完全に硬化する前の半硬化状態（架橋が十分でない状態）のうちに上側の成形型６１を取り外し、成形体の上（図２では下面側）の周縁部を除く所定部位に、図中（ｂ）に示すように、装飾部４を構成する装飾シート体４０を載せるとともに、電荷を付与した超軟水５を塗布する。この超軟水５の存在により、後から積層成形する付着層２との相溶性が増し、相互の接合強度が向上する。
【００４３】
次に、同じく被覆層３が半硬化状態のうちに、図中（ｃ）に示すように、その成形体の上に成形型６２を用いて付着層２を構成する軟質のシリコーン系成形体を積層成形する。そして、所定時間かけて硬化させた後、成形型６０、６２を開いて図中（ｄ）に示すように成形品である装飾シート１を取り出す。
【００４４】
なお、変形例として、図４に示すように、上記装飾シート体４０を載せる代わりに、或いは載せるとともに、成形された被覆層３の上（図２では下面側）に転写印刷によりデコレーション模様等を印刷した印刷部４１を形成して装飾部４を構成することも好ましい例である。
【００４５】
また、他の変形例として、人体付着用装飾シート１にＩＣタグ６を組み込ませ、例えばオリンピック会場やサッカー会場などのゲートを通過する際に認証できるように構成したものも好ましい。このようなＩＣタグ６は、図５に示すように、上記の装飾シート体４０と同様、付着層２と被覆層３の間に介装することが好ましく、特に、図示しないが装飾シート体４０や印刷部４１の下に隠すように装着することが好ましい。これによりＩＣタグ６が被覆層３を通じて外部から見えることがなく、装飾性を損なうといった問題を未然に防止することが可能となる。
【００４６】
なお、このように付着層２と被覆層３の間に介装する以外に、付着層２または被覆層３の内部に成形時に埋め込むことも好ましい。この場合、上記と同様、装飾性を損なわないようにすべく、付着層２のうちの装飾シート体４０や印刷部４１で隠れる部分に埋め込むことが好ましい。ＩＣタグとしては、無線タグとして知られるＲＦＩＤタグなど、種々のものを利用できる。また、ＩＣタグと同様、宝石等を埋め込んで装飾性を出すことも好ましい実施例である。
【００４７】
以上本発明の実施形態について説明したが、本発明はこうした実施例に何ら限定されるものではなく、本発明の要旨を逸脱しない範囲において種々なる形態で実施し得ることは勿論である。
【実施例】
【００４８】
次に、本発明の人体付着用装飾シートの実施例１について、皮膚に対する貼り付け及び取り外しを繰り返し、主に付着層２と被覆層３の接合部分について耐久性を試験した結果を説明する。
【００４９】
実施例１の人体付着用装飾シートは、付着層、被覆層ともに、旭化成ワッカーシリコーン株式会社「ＷＡＣＫＥＲ ＳｉｌＧｅｌ ６１２ Ａ＋Ｂ」を用いて積層成形したものであり、Ａ液とＢ液の混合比は、被覆層が２：１、付着層が１．２：１とし、図１に示すような布製の装飾シート体を介装し、上記電荷を付与した超軟水を用いて作成した。結果、１００回の貼り／剥がしを繰り返しても、付着層と被覆層相互の剥がれやその他の破損が見られず、十分な耐久性を有していることが確認できた。
【００５０】
次に、電荷を付与した超軟水を用いることによる接合強度の向上を確認する試験を行なった。なお、本試験では２層とも被覆層と同じ硬質のシリコーン系成形体（旭化成ワッカーシリコーン株式会社「ＷＡＣＫＥＲ ＳｉｌＧｅｌ ６１２ Ａ＋Ｂ」、Ａ液とＢ液の混合比２：１で成形したもの）とし、積層成形時に上記超軟水を用いたものと用いなかったもののサンプルをそれぞれ作成し、剥離強度を比較した。
【００５１】
２層とも厚さ５ｍｍ（合計厚さ１０ｍｍ）で縦３０ｍｍ、横４０ｍｍの長方形状の積層シートを作成し、間には布等を介装しなかった。そして、縦辺の層の境界部に裂け目を作り、一方を固定し、他方をバネ秤で引張り、分離し始めるときの荷重を測定した。
【００５２】
結果、電荷を付与した超軟水を使用しないで成形したサンプルが１．７ｋｇで分離開始し、その荷重のままで完全に分離したのに対し、上記超軟水を使用したサンプルでは、４．０ｋｇで分離開始し、完全分離に至らなかった。これにより、上記電荷を付与した超軟水を用いることにより相互の接合強度が増大し、耐久性が向上することが分かる。
【図面の簡単な説明】
【００５３】
【図１】本発明の実施形態に係る人体付着用装飾シートを示す斜視図。
【図２】同じく人体付着用装飾シートを示す断面図。
【図３】同じく人体付着用装飾シートの製造手順を示す説明図。
【図４】同じく人体付着用装飾シートの変形例を示す要部の断面図。
【図５】同じく人体付着用装飾シートの他の変形例を示す要部の断面図。
【図６】同じく人体付着用装飾シートの使用状態を示す説明図。
【符号の説明】
【００５４】
１  人体付着用装飾シート
２  付着層
３  被覆層
４  装飾部
５  超軟水
６  タグ
７  フランジ部
１０  シート周辺部
４０  装飾シート体
４１  印刷部
６０，６１，６２  成形型
【図１】
2008137368.tif 000003
【図２】
2008137368.tif 000004
【図３】
2008137368.tif 000005
【図４】
2008137368.tif 000006
【図５】
2008137368.tif 000007
【図６】
2008137368.tif 000008